(57)【要約】【課題】簡単な構成で、回路基板を確実に支持しつつ、回路基板の損傷を防止する電子機器を提供すること。【解決手段】内部にＬＣＤパネル及びバックライトが収容された収納ケース４１と、収納ケース４１の背板４０に配置されて、ＬＣＤパネル及びバックライトの動作を制御する回路基板５０と、背板４０の一部を切り起して設けられ、該背板４０との間に回路基板５０を挟んで支持する支持爪部４４とを備え、支持爪部４４は、回路基板５０が配置された背板４０の背面４０Ａに対して立設されると共に、支持爪部４４を変形させた際に、背面４０Ａ上をスライドして移動する他端４４Ｃと、この他端４４Ｃの下縁に設けられて回路基板５０を面で押さえる舌片部４４Ｄと、を備えた。【選択図】図２
2015220361.tif 000002
【特許請求の範囲】
【請求項１】
導電性を有するベース板と、
前記ベース板に配置された回路基板と、
前記ベース板の一部を切り起して設けられ、該ベース板との間に前記回路基板を挟んで支持する支持片と、を含み、
前記支持片は、
前記回路基板が配置された前記ベース板の配置面に対して立設され、かつ、支持片を変形させた際に、前記配置面上をスライドして移動する先端部と、
前記先端部の下縁に設けられて前記回路基板を面で押さえる舌片部と、を有する、電子機器。
【請求項２】
前記舌片部は、
前記支持片を変形させた際に、前記回路基板上に設けられたグランドパターンと接触する、請求項１に記載の電子機器。
【請求項３】
前記舌片部は、
前記先端部の下縁を、前記支持片の変形方向とは反対の方向に、折り曲げて形成されている、請求項１又は請求項２に記載の電子機器。
【請求項４】
前記ベース板と前記回路基板との間に、弾性を有するスペーサが介在する、請求項１又は請求項２に記載の電子機器。
【請求項５】
前記ベース板は、内部に液晶パネル及び光源部が収容された筐体であり、
前記筐体の背面に前記液晶パネル及び前記光源部の動作を制御するための前記回路基板を配置した、請求項１又は請求項２に記載の電子機器。
【発明の詳細な説明】
【技術分野】
【０００１】
本発明は、ベース板に配置される回路基板を備えた電子機器に関する。
【背景技術】
【０００２】
ベース板に配置される回路基板を備えた電子機器が知られている。この種の電子機器では、従来、切り起こしによる第１のカシメ爪を有する第１の金属板と、この第１の金属板に重ね合させられた枠体状の第２の金属板（ベース板）と、この第２の金属板内に設けられたプリント基板（回路基板）とを備え、前記第２の金属板の前記第１のカシメ爪に対応する部分に開口を設け、この開口内に、その開口縁の周囲に隙間を設けるとともに第２のカシメ爪を形成し、前記第１のカシメ爪を前記第２のカシメ爪側に突き出すことにより、第２のカシメ爪も重ねて突き出し、この第１、第２のカシメ爪を半田付けするとともに、前記プリント基板の位置決めをする技術が開示されている（例えば、特許文献１参照）。
【先行技術文献】
【特許文献】
【０００３】
【特許文献１】特許第２７６０１２４号公報
【発明の概要】
【発明が解決しようとする課題】
【０００４】
しかしながら、従来の技術では、第１、第２のカシメ爪を半田付けしているため、部品点数が増え、構造が煩雑になっていた。また、第１、第２のカシメ爪をプリント基板に突き出す際に、カシメ爪の下端部のエッジとプリント基板とが干渉するため、プリント基板が削れてしまう可能性がある。
【０００５】
本発明は、簡単な構造で、回路基板を確実に支持しつつ、回路基板が削られることを抑制することを目的とする。
【課題を解決するための手段】
【０００６】
前述本発明の一態様は、導電性を有するベース板と、ベース板に配置された回路基板と、ベース板の一部を切り起して設けられ、該ベース板との間に回路基板を挟んで支持する支持片と、を含み、支持片は、回路基板が配置されたベース板の配置面に対して立設され、かつ、支持片を変形させた際に、配置面上をスライドして移動する先端部と、先端部の下縁に設けられて回路基板を面で押さえる舌片部と、を有する電子機器である。
【０００７】
さらに、他の一態様として、舌片部は、支持片を変形させた際に、回路基板上に設けられたグランドパターンに接触、例えば面接触してもよい。
【０００８】
さらに、他の一態様として、舌片部は、先端部の下縁を、支持片の変形方向とは反対の方向に、折り曲げて形成されていてもよい。
【０００９】
さらに、他の一態様として、ベース板と回路基板との間に弾性を有するスペーサを介在させてもよい。
【００１０】
さらに、他の一態様として、ベース板は、内部に液晶パネル及び光源部が収容された筐体であり、筐体の背面に液晶パネル及び光源部の動作を制御するための回路基板を配置してもよい。
【図面の簡単な説明】
【００１１】
【図１】図１は、本実施形態に係る液晶表示装置の分解斜視図である。
【図２】図２は、液晶表示装置の背面図である。
【図３】図３は、背板と支持爪部とを示す部分断面図である。
【図４】図４は、背板と支持爪部とを別方向から見た部分断面図である。
【図５】図５は、支持爪部を変形させる前の状態を示す図である。
【図６】図６は、支持爪部を変形させた後の状態を示す図である。
【図７】図７は、回路基板を取り付ける形態の変形例を示す部分拡大斜視図である。
【発明を実施するための形態】
【００１２】
以下に、本発明の各実施の形態について、図面を参照しつつ説明する。なお、開示はあくまで一例に過ぎず、当業者において、本発明の趣旨を保っての適宜変更について容易に想到し得るものについては、当然に本発明の範囲に含有されるものである。また、図面は説明をより明確にするため、実際の態様と比較して、各部の幅、厚み又は形状等について模式的に表される場合があるが、あくまで一例であって、本発明の解釈を限定するものではない。また、本発明と各図とにおいて、既出の図面に関して前述したものと同様の要素には、同一の符号を付して、詳細な説明を適宜省略することがある。
【００１３】
図１は、本実施形態に係る電子機器としての液晶表示装置の分解斜視図である。液晶表示装置１は、例えば、自動車の運転席側のダッシュボード等に設置され、カーナビゲーションシステムにおけるナビゲーション表示、音楽操作画面の表示又は映画再生表示等に利用される。液晶表示装置１は、図１に示すように、ＬＣＤパネル（液晶パネル）２と、カバーガラス（表示カバー）３と、バックライトユニット４とを備えている。
【００１４】
ＬＣＤパネル２は、２枚の透明基板の間に液晶層が形成されている。ＬＣＤパネル２は、例えばＦＦＳ（Fringe  Field  Switching）型の液晶ディスプレイであり、一方の透明基板に駆動電極（共通電極）と、画素に対応して形成されたマトリクス状に配置された画素電極が積層されている。また、２つの透明基板の少なくとも一方には、例えば、Ｒ（赤）、Ｇ（緑）及びＢ（青）等のフィルタが画素に対応して配置されたカラーフィルタが設けられている。ＬＣＤパネル２は、画素電極と駆動電極（共通）のいずれか一方に開口が形成されており、開口から漏れた電界（フリンジ電界）で液晶を駆動させる。ＬＣＤパネル２は、画像信号に基づいて、各画素での光の透過と遮断を切り換えることで、画像を表示させる。ＬＣＤパネル２は、マトリクス状に画素が配置された面、つまり面積が最も大きい面（パネル面）がバックライトユニット４の照射面と略平行に配置されている。
【００１５】
本実施形態では、ＬＣＤパネル２はＦＦＳ型であるが、これに限られるものではなく、例えば、ＩＰＳ（In-Plane  Switching）型、ＴＮ（Twisted  Nematic）型、ＯＣＢ（Optically  Compensated Bend）型、ＥＣＢ（Electrically  Controlled  Birefringence）型の液晶としてもよい。また、ＬＣＤパネル２は、電圧が印加されていない状態で光を透過せず表示が黒になるノーマリーブラック、電圧が印加されていない状態で光を透過し表示が白になるノーマリーホワイトのいずれの方式も用いることができる。
【００１６】
ＬＣＤパネル２には、ＦＰＣ（Flexible  Printed  Circuits）２１が接続されている。ＦＰＣ２１は、ＬＣＤパネル２に制御信号を送信して表示動作を制御するための回路基板５０（図２参照）に接続される。
【００１７】
カバーガラス３は、ＬＣＤパネル２の表示側に配置されるように、ＬＣＤパネル２の表示面を被覆して保護する透明なガラス部材である。カバーガラス３は、例えば、ＵＶ（Ultra  Violet）硬化樹脂３６によってＬＣＤパネル２の表示面に貼り付けられている。ＵＶ硬化樹脂３６は、紫外線の光エネルギーに反応して液体から固体に化学的に変化する合成樹脂である。また、カバーガラス３は、板面における外周部に、ＬＣＤパネル２からの光を遮断する遮光領域３１が形成され、遮光領域３１で囲まれた領域、つまり、遮光領域３１の内側にＬＣＤパネル２からの光を透過させる表示領域３２が形成されている。カバーガラス３は、板状のガラス基板を有し、このガラス基材の光源側から、外周部の領域に遮光部材をスクリーン印刷等によって印刷して遮光領域３１を形成している。
【００１８】
液晶表示装置１は、ＬＣＤパネル２の表示側の面、つまり表示面を保護する表示カバーとして、カバーガラス３を設け、ＬＣＤパネル２にカバーガラス３を固定したが、これに限られるものではない。液晶表示装置１は、ＬＣＤパネル２の表面を保護することができ、かつ、ＬＣＤパネル２に表示された画像を透過させることができればよく、板状でかつ光を透過する種々の表示カバーを用いることができる。表示カバーとしては、透明な樹脂部材や、タッチパネルを用いることができる。
【００１９】
バックライトユニット４は、収納ケース（筐体、ベース板）４１と、この収納ケース４１内に収納されるバックライト（光源部）４３とを備えている。収納ケース４１は、金属製の箱状のケースであり、矩形状の背板（ベース板）４０の周辺部にそれぞれ側壁部４２を有している。収納ケース４１は、バックライト４３を固定して収納し、かつバックライト４３から照射される光が外部に漏れないように遮光する。収納ケース４１は、導電性を備えた材料であれば、金属以外の材料、例えば導電性樹脂材等で形成されてもよい。また、収納ケース４１のパネル面は、バックライト４３の照射面と略平行に配置されるＬＣＤパネル２に対するシールド効果を奏する。
【００２０】
バックライト４３は、ＬＣＤパネル２に光を照射する。バックライト４３は、ＬＣＤパネル２に対面して配置されている。バックライト４３は、光を射出する光源と、光源から射出された光が入射され、入射された光を案内して、ＬＣＤパネル２に向けて照射させる導光板と、導光板の光照射面側に積層された光学シートとを有する。光源としては、例えば、ＬＥＤ（Light  Emitting  Diode）又は蛍光灯等を用いることができる。また、光源には、電源を供給するためのフレキシブルケーブル４５が接続され、このフレキシブルケーブル４５は、収納ケース４１の外側に延在して、図２に示す回路基板５０に接続される。また、バックライト４３は、光源が平面視で矩形状の導光板の一辺側に配置され、導光板の表示側に配置される光学シートを固定する光学シート支持部材も設けられている。
【００２１】
本実施形態では、バックライト４３として導光板を用いて導光板の射出面から光を射出させたが、このようなものに限定されない。バックライト４３は、ＬＥＤ等の点光源又は冷陰極管（ＣＣＦＬ）等の線光源を複数備え、点光源又は線光源からＬＣＤパネル２の表示面の全面に直接光を入射させるようにしてもよい。次に、回路基板５０の取り付け構造について説明する。
【００２２】
図２は、液晶表示装置の背面図である。回路基板５０は、図１に示すＬＣＤパネル２及びバックライト４３に電源を供給するとともに、ＬＣＤパネル２及びバックライト４３に制御信号を送信して、ＬＣＤパネル２の表示動作及びバックライト４３の点灯と消灯とを制御するものである。この回路基板５０は、リジッドタイプのプリント基板であり、図２に示すように、収納ケース４１の背板４０の背面（配置面）４０Ａに取り付けられている。また、回路基板５０には、コネクタ５１，５２，５３が実装されている。コネクタ５１、５２は、ＦＰＣ２１及びフレキシブルケーブル４５が接続される。コネクタ５３は、外部装置との間で制御信号の送受信をしたり、回路基板５０に電源を供給したりするためのフレキシブルケーブルを接続する。このほかにも、回路基板５０には多くの電子回路部品が実装されている。
【００２３】
収納ケース４１は、例えば、鉄系の金属材料で形成されており、所定箇所に複数（本実施形態では３つ）の支持爪部（支持片）４４が設けられている。この支持爪部４４は、収納ケース４１の背板４０の一部を切り抜き、切り抜かれた部分を背板４０の背面４０Ａに対して起こして形成され、背板４０の背面４０Ａとの間で回路基板５０を挟んで支持する。収納ケース４１の背板４０の一部を切り抜く場合、例えば、プレス加工又はレーザー加工等が用いられる。図２に示す符号６０は、支持爪部４４を切り起すために形成された開口部である。開口部６０は、板材等で塞がれてバックライト４３から照射する光が外部に漏れないように遮光されている。
【００２４】
支持爪部４４は、背板４０の背面４０Ａに沿って延びる本体部４４Ａを備えている。本体部４４Ａは、背板４０の背面４０Ａに対して立つように切り起されている。本体部４４Ａは、長手方向の一端（基端部）４４Ｂが背板４０に固定されている。本体部４４Ａの他端（先端部）４４Ｃは、背面４０Ａ上をスライドして移動可能になっている。また、支持爪部４４は、他端４４Ｃの下縁を背板４０の背面４０Ａと略平行に折り曲げて形成した舌片部４４Ｄを備えている。この舌片部４４Ｄは、支持爪部４４の本体部４４Ａを変形させた際に、回路基板５０に設けられたグランドパターン５４と接触（例えば面接触）しつつ、回路基板５０を押さえて支持する。
【００２５】
本実施形態では、背板４０の背面４０Ａには突起４６が設けられている。この突起４６は回路基板５０に設けられた孔部５５に嵌り、回路基板５０の位置決めをする。さらに、支持爪部４４は、回路基板５０の周囲に配置されている。支持爪部４４の本体部４４Ａの一端４４Ｂ側は、回路基板５０の位置決めをする立壁として機能させることも可能である。このように、支持爪部４４及び突起４６によって、回路基板５０を背板４０の背面４０Ａの所定箇所に位置決めすることができる。
【００２６】
図３は、背板と支持爪部とを示す部分断面図である。支持爪部４４は、前述のように、背板４０の背面４０Ａに対して立設されているため、本体部４４Ａの他端４４Ｃは、比較的容易に背面４０Ａ上をスライドして移動できる。これに対して、背板４０の背面４０Ａに垂直な方向への移動は規制される。このため、回路基板５０を効果的に支持するためには、舌片部４４Ｄの底面４４Ｄ１と背板４０の背面４０Ａとの隙間Ｈの管理が重要となる。すなわち、この隙間Ｈが回路基板５０の板厚よりも小さいと、舌片部４４Ｄが回路基板５０と干渉してしまい、隙間Ｈが回路基板５０の板厚よりも過剰に大きいと、回路基板５０を支持することができない。本実施形態では、隙間Ｈを回路基板５０の板厚と同等又はわずかに大きく形成し、回路基板５０と背板４０との間にスペーサ６１を介在させている。このスペーサ６１は、弾性を備えたシート状の部材であり、回路基板５０の下方領域全体に配置されて回路基板５０を舌片部４４Ｄに向けて付勢する。このため、支持爪部４４の本体部４４Ａを変形させて回路基板５０を押さえた際に、舌片部４４Ｄと回路基板５０との密着性が高くなり、回路基板５０を強固に支持できるとともに、グランド（アース）を安定して取得することができる。本実施形態では、スペーサ６１は、シート状に形成して回路基板５０の下方領域全体に配置されているが、少なくとも、舌片部４４Ｄで押さえられるグランドパターン５４の相当領域の下方に分散して配置されてもよい。また、スペーサ６１は、グランドパターン５４の下のみに形成され、導電性材料で形成してもよい。舌片部４４Ｄと導電性のスペーサ６１を回路基板５０のそれぞれ上下に配置することで、より確実にグランドを取ることができる。
【００２７】
図４は、背板と支持爪部とを別方向から見た部分断面図である。舌片部４４Ｄは、本体部４４Ａの他端４４Ｃの下縁４４ＣＥを、支持爪部４４の変形方向（図４中の矢印Ａで示す方向）とは反対の方向に折り曲げて形成されている。舌片部４４Ｄを折り曲げて形成した場合、この舌片部４４Ｄと他端４４Ｃとの間には曲げによって丸み部４４Ｅが形成される。支持爪部４４が変形する場合には、舌片部４４Ｄは、丸み部４４Ｅから回路基板５０に乗り上げていくため、この丸み形状により回路基板５０上のスライド移動を容易にし、回路基板５０との干渉を低く抑えることができる。このため、支持爪部４４で回路基板５０を支持した際に、この回路基板５０に傷が付きにくい構造を実現できる。
【００２８】
図５は、支持爪部を変形させる前の状態を示す図である。図６は、支持爪部を変形させた後の状態を示す図である。次に、回路基板５０を背板４０に固定する際の動作について説明する。まず、図２に示すように、回路基板５０を支持爪部４４で囲まれた背板４０の背面４０Ａの所定箇所に配置する。この場合、突起４６を回路基板５０の孔部５５に嵌めて位置決めする。このとき、回路基板５０の下方には、孔部５５の位置を除いてシート状のスペーサ６１（図３参照）が配置されているが、このスペーサ６１は配置しなくてもよい。
【００２９】
続いて、例えば作業者は、ペンチなどの冶具を用いて支持爪部４４の他端４４Ｃを摘み、支持爪部４４の本体部４４Ａを図中Ａ方向に折り曲げて、図６に示すように、他端４４Ｃを回路基板５０上にスライドさせて移動させる。支持爪部４４の本体部４４Ａは、折り曲げによって塑性変形するため、支持爪部４４の舌片部４４Ｄが回路基板５０のグランドパターン５４上に位置する。従って、グランドパターン５４と舌片部４４Ｄとが面で接触した状態で、回路基板５０は舌片部４４Ｄにより面で押さえられ、回路基板５０を収納ケース４１の背板４０の背面４０Ａに強固に固定することができる。
【００３０】
以上、液晶表示装置１は、内部にＬＣＤパネル２及びバックライト４３が収容された収納ケース４１と、収納ケース４１の背板４０に配置されて、ＬＣＤパネル２及びバックライト４３の動作を制御する回路基板５０と、背板４０の一部を切り起して設けられ、該背板４０との間に回路基板５０を挟んで支持する支持爪部４４とを備え、支持爪部４４は、回路基板５０が配置された背板４０の背面４０Ａに対して立設されるとともに、支持爪部４４を変形させた際に、背面４０Ａ上をスライドして移動する他端４４Ｃと、この他端４４Ｃの下縁に設けられて回路基板５０を面で押さえる舌片部４４Ｄと、を備えたため、支持爪部４４の本体部４４Ａのエッジと回路基板５０との干渉が抑制され、回路基板５０上の回路パターンが削れることが抑制される。また、支持爪部４４は、本体部４４Ａが背面４０Ａに対して立設されるため、背面４０Ａと垂直な方向への変形に強く、回路基板５０を強固に支持することができる。
【００３１】
また、舌片部４４Ｄは、支持爪部４４の本体部４４Ａを変形させた際に、回路基板５０上に設けられたグランドパターン５４と接触する。舌片部４４Ｄは、本体部４４Ａの他端４４Ｃの下縁４４ＣＥがグランドパターン５４に接触するよりも広い面積でグランドパターン５４と接触するため、支持爪部４４を通じてグランドを取ることができ、回路基板５０の支持固定と接地の両機能を支持爪部４４に持たせることができる。また、本体部４４Ａの他端４４Ｃの下縁４４ＣＥよりも面積の大きい舌片部４４Ｄが、回路基板５０上に設けられたグランドパターン５４に接触するために、支持爪部４４の本体部４４Ａを変形させた際に、グランドパターン５４との接触面積が増える。このため、グランドを安定して取得することができ、静電気等の電気的ノイズの影響を抑えた液晶表示装置１を実現することができる。
【００３２】
また、舌片部４４Ｄは、支持爪部４４の本体部４４Ａの他端４４Ｃの下縁４４ＣＥを、支持爪部４４の本体部４４Ａの変形方向とは反対の方向に折り曲げて形成されているため、舌片部４４Ｄと他端４４Ｃとの間には曲げによって丸み部４４Ｅが形成される。支持爪部４４を変形する場合には、舌片部４４Ｄは、丸み部４４Ｅから回路基板５０に乗り上げていくため、この丸み形状により回路基板５０上のスライド移動を容易にし、回路基板５０との干渉を低く抑えることができる。また、回路基板５０を傷つけることも少なくなる。
【００３３】
また、収納ケース４１の背板４０と回路基板５０との間に弾性を有するスペーサ６１が介在するため、スペーサ６１が回路基板５０を舌片部４４Ｄに付勢する。このため、舌片部４４Ｄと回路基板５０との密着性が高くなり、回路基板５０を強固に支持できるとともに、グランドを安定して取得することができる。
【００３４】
（変形例）
図７は、回路基板５０を取り付ける形態の変形例を示す部分拡大斜視図である。次に、回路基板５０を取り付ける形態の変形例について説明する。本変形例では、背板４０の背面４０Ａに立設する立壁部４８を設け、この立壁部４８の一部を切り抜き、かつ立壁部４８から起こして支持爪部１４４を形成している。この支持爪部１４４は、背板４０の背面４０Ａに対して立設しており、この背面４０Ａに沿って延びる本体部１４４Ａを備える。本体部１４４Ａは、長手方向の一端（基端部）１４４Ｂが立壁部４８に固定され、他端（先端部）１４４Ｃは、背面４０Ａ上をスライドして移動可能に構成されている。また、支持爪部１４４は、他端１４４Ｃの下縁１４４ＣＥが背板４０の背面４０Ａと略平行に折り曲げられて形成された舌片部１４４Ｄを備える。この舌片部１４４Ｄは、支持爪部１４４の本体部１４４Ａを変形させた際に、回路基板５０に設けられたグランドパターン５４と面接触しつつ、回路基板５０を押さえて支持する。この場合、立壁部４８は、回路基板５０が配置される領域に、少なくとも回路基板５０の対向する２辺に沿って形成されるのが好ましい。
【００３５】
本変形例によっても、支持爪部１４４の本体部１４４Ａのエッジと回路基板５０との干渉が抑制され、回路基板５０上の回路パターンが削れることが抑制される。また、支持爪部１４４は、本体部１４４Ａが背面４０Ａに対して立設されるため、背面４０Ａと垂直な方向への変形に強く、回路基板５０を強固に支持することができる。
【００３６】
また、本変形例では、立壁部４８を背板４０の背面４０Ａに形成したものとして説明したが、これに限らず、例えば、収納ケース４１内に回路基板５０を収納し、収納ケース４１の側壁部４２の一部を切り起して支持爪部を形成してもよい。
【００３７】
以上、実施の形態及びその変形例について説明したが、本発明は、前述した実施の形態及びその変形例に限定されるものではない。例えば、前述した実施の形態では、支持爪部４４の舌片部４４Ｄは、回路基板５０と略平行となるように折り曲げて形成されていたが、これに限るものではない。例えば、舌片部４４Ｄは、本体部４４Ａの一端（基端部）４４Ｂ側が他端（先端部）４４Ｃ側よりも、低くなるように傾斜をつけて折り曲げられてもよい。また、舌片部４４Ｄは、折り曲げられた先端側が基端側よりも低くなるように傾斜をつけて折り曲げられてもよい。このように、舌片部４４Ｄの曲げ方にアレンジを加えることにより、舌片部４４Ｄと回路基板５０及びグランドパターン５４とが部分的に強く接触するため、回路基板５０の固定及びグランドの取得を確実に行うことができる。
【００３８】
また、上記実施形態に係る液晶表示装置１を適用することができる電子機器としては、前述したカーナビゲーションシステムの他に、パーソナルコンピュータ、液晶テレビ又は携帯電話等が挙げられる。さらに、導電性を有するベース板に回路基板を固定するものであれば、その他の電子機器にも適用することが可能である。
【００３９】
以上、本発明の実施の形態として前述した液晶表示装置１を基にして、当業者が適宜設計変更して実施し得る全ての車載用メーターも、本発明の要旨を包含する限り、本発明の範囲に属する。本発明の思想の範疇において、当業者であれば、各種の変更例及び修正例に想到し得るものであり、それら変更例及び修正例についても本発明の範囲に属するものと了解される。
【００４０】
例えば、前述した実施の形態及びその変形例に対して、当業者が適宜、構成要素の追加、削除若しくは設計変更を行ったものも、本発明の要旨を備えている限り、本発明の範囲に含まれる。また、本実施の形態において説明した態様によりもたらされる他の作用効果について、本明細書の記載から明らかなもの又は当業者において適宜想到し得るものについては、当然に本発明によりもたらされるものと解される。
【符号の説明】
【００４１】
１  液晶表示装置（電子機器）
２  ＬＣＤパネル（液晶パネル）
４  バックライトユニット
２１  ＦＰＣ
４０  背板（ベース板）
４０Ａ  背面（配置面）
４１  収納ケース（筐体、ベース板）
４２  側壁部
４３  バックライト
４４  支持爪部（支持片）
４４Ｂ  一端（基端部）
４４Ｃ  他端（先端部）
４４ＣＥ  下縁
４４Ｄ  舌片部
４４Ｅ  丸み部
４５  フレキシブルケーブル
４８  立壁部
５０  回路基板
５４  グランドパターン
６１  スペーサ
１４４  支持爪部
１４４Ｂ  一端（基端部）
１４４Ｃ  他端（先端部）
１４４Ｄ  舌片部
【図１】
2015220361.tif 000003
【図２】
2015220361.tif 000004
【図３】
2015220361.tif 000005
【図４】
2015220361.tif 000006
【図５】
2015220361.tif 000007
【図６】
2015220361.tif 000008
【図７】
2015220361.tif 000009